(57)【要約】【課題】  インレットを別体として用意する必要が無く、また、隠蔽情報の閲覧操作に伴い、インレットが自動的に使用可能となる通信用回路保持体を提供することを目的とする。【解決手段】  順に連接する第一の領域２１、第二の領域２２、第三の領域２３及び第四の領域２４を有する基材２と、基材２の同じ一面２ａにおいて、第三の領域２３に配置されるスパイラル状のアンテナ３、アンテナ３にそれぞれ一端が接続され他端３３ａ、３４ａがそれぞれ伸びる第一導電部３３及び第二導電部３４、並びにアンテナ３と直列に接続されたＩＣチップ１０と、第一の領域２１に配置されるアンテナ３の内周端３１及び外周端３２とそれぞれを電気的に接続するための両端部４１、４２を備えた配線部４、並びに第一の穴部９ａと、第二の領域２２に配置される第二の穴部９ｂと、第四の領域２４に配置される短絡部５とを備えている。【選択図】    図１
2006239875.tif 000002
【特許請求の範囲】
【請求項１】
順に連接する第一、第二、第三及び第四の領域を有する基材と、前記基材の同じ一面において、前記第三の領域に配置される、スパイラル状の回路、前記回路にそれぞれ一端が接続され、他端がそれぞれ伸びる第一導電部及び第二導電部、並びに前記回路と直列に接続されたＩＣチップと、前記第一の領域に配置される、前記回路の内周端及び外周端とそれぞれを電気的に接続するための両端部を備えた配線部、並びに第一の穴部と、前記第二の領域に配置される第二の穴部と、前記第四の領域に配置される短絡部とを備えている通信用回路保持体であって、
前記基材を折り曲げることにより、前記第一の領域と前記第二の領域の一面同士を前記第一の穴部と前記第二の穴部とが一致するように重ね合わせ、次いでこの重ね合わせた状態にある第一領域の他面を前記第三の領域の一面に重ね合わせた状態において、該第三の領域に配した前記第一導電部と前記第二導電部の他端のみが露出するとともに、前記第三の領域に配したＩＣチップが前記第一の穴部と前記第二の穴部を通して露出しており、
さらに、前記第一〜前記第三の領域が重なった状態にある前記第二の領域の他面に前記第四の領域の一面を重ね合わせた状態において、該第四の領域に配した短絡部が、前記第一導電部と前記第二導電部の他端からなる露出部に電気的に接続するように構成され、
前記基材を折り曲げた際には、前記第一の領域の一面と前記第二の領域の一面との間、及び前記第一の領域の他面と前記第三の領域の一面との間には強接着部が、前記第二の領域の他面と前記第四の領域の一面との間には弱接着部が、それぞれ設けられ、
前記第二の領域の他面と前記第四の領域の一面は、折り曲げて互いを重ね合わせる前に、隠蔽情報を記入可能とされていることを特徴とする通信用回路保持体。
【請求項２】
前記弱接着部を介してなる前記第二の領域の他面と前記第四の領域の一面は互いに剥離することが可能であり、該剥離をした際に、前記第四の領域に配した短絡部が、前記第三の領域に配した第一導電部と第二導電部の他端からなる露出部から離され、前記第三の領域に配した回路が使用可能な状態になることを特徴とする請求項１に記載の通信用回路保持体。
【発明の詳細な説明】
【技術分野】
【０００１】
本発明は、通信用回路保持体に関する。
【背景技術】
【０００２】
近年、例えば、ＲＦＩＤ（Ｒａｄｉｏ  Ｆｒｅｑｕｅｎｃｙ  Ｉｄｅｎｔｉｆｉｃａｔｉｏｎ）と称される非接触型メディア（非接触型ＩＣカード等）に関する技術が急速に進歩してきており、その使用も多岐にわたっている。
【０００３】
この種のＲＦＩＤは、基材にアンテナをパターン形成して、ＩＣチップを搭載したインレットと称されるものを他の基材に貼着して作製される。このようなインレットは、基材に紙材やフィルムを使用するものも多く、インレットに、各種情報が印刷された紙基材やフィルムを接着剤等で接着している。
また、紙材やフィルムなどをベース基材としたインレットにおいては、通信のためのアンテナのパターンを、例えば複数巻き回してスパイラル状の回路に形成するのが一般的であり、パターンの両端の接点間を、導通部材を用いて電気的に導通させることによって通信を可能としている。また、前記回路にＩＣチップを搭載した構成とすることにより、各種機能を持たせることができる。
【０００４】
このようなインレットを、ミシン目線からカード形状に切り取り可能な構成で、３つの連接したはがき部からなる郵便はがきに装着したものであって、前記３つの連接したはがき部を折り畳んで接着した際、第一はがき部と第二はがき部との各々全面が剥離可能に接着され、第二はがき部と第三はがき部との各々全面が剥離不可能に強接着され、インレットが第二はがき部又は第三はがき部に装着された通信用回路保持体が提案されている（例えば、特許文献１）。
【０００５】
特許文献１に記載の通信用回路保持体は、上述の構成により、第二はがき部および第三はがき部に設けたカード形状のミシン目線からインレットを取り外して使用可能な状態とされ、また、第一はがき部と第二はがき部とを剥離して見開くことにより、剥離面に表示された隠蔽情報を閲覧することができるものである。
【０００６】
また、インレットを、３つの連接した帳票片をＺ状に折り曲げ、縁部を接着してなる封書に装着したものであって、該封書の所定の３辺をミシン目から切り取ることにより、３つの帳票片を見開いて内部情報を閲覧することが可能に構成され、見開いた封書の中心の帳票片に、インレットがカード形状に切り取り可能に装着された通信用回路保持体が提案されている（例えば、特許文献２）。
【０００７】
特許文献２に記載の通信用回路保持体は、上述の構成により、封書の３辺をミシン目線から切り取って開封し、中央の帳票片に装着されたインレットをミシン目線でカード形状に切り取り、また、封書内部の各帳票片に印刷された情報を閲覧することができるというものである。
【特許文献１】特開２００３−１４１４９２号公報
【特許文献２】特開２００３−１４１４９３号公報
【発明の開示】
【発明が解決しようとする課題】
【０００８】
しかしながら、特許文献１及び特許文献２に記載の通信用回路保持体では、基材とは別体をなすインレットを、予め印刷されたフィルムや紙製の基材に接着剤で接着するものであり、インレット及び上下基材の３つの層で構成されるため、工程が多く、材料コストも高くなる。
また、特許文献１及び特許文献２の通信用回路保持体の構成では、インレットとして形成された回路は常に導通、作動状態にあり、必要な時にのみ、インレットを作動させることが出来なかった。
【０００９】
本発明は、前記事情に鑑みてなされたものであり、インレットを別体として用意する必要が無く、また、隠蔽情報の閲覧操作に伴い、インレットが自動的に使用可能となる通信用回路保持体を提供することを目的とする。
【課題を解決するための手段】
【００１０】
本発明は、順に連接する第一、第二、第三及び第四の領域を有する基材と、前記基材の同じ一面において、前記第三の領域に配置される、スパイラル状の回路、前記回路にそれぞれ一端が接続され、他端がそれぞれ伸びる第一導電部及び第二導電部、並びに前記回路と直列に接続されたＩＣチップと、前記第一の領域に配置される、前記回路の内周端及び外周端とそれぞれを電気的に接続するための両端部を備えた配線部、並びに第一の穴部と、前記第二の領域に配置される、第二の穴部と、前記第四の領域に配置される、短絡部とを備えている通信用回路保持体であって、前記基材を折り曲げることにより、前記第一の領域と前記第二の領域の一面同士を前記第一の穴部と前記第二の穴部とが一致するように重ね合わせ、次いでこの重ね合わせた状態にある第一領域の他面を前記第三の領域の一面に重ね合わせた状態において、該第三の領域に配した前記第一導電部と前記第二導電部の他端のみが露出するとともに、前記第三の領域に配したＩＣチップが前記第一の穴部と前記第二の穴部を通して露出しており、さらに、前記第一〜前記第三の領域が重なった状態にある前記第二の領域の他面に前記第四の領域の一面を重ね合わせた状態において、該第四の領域に配した短絡部が、前記第一導電部と前記第二導電部の他端からなる露出部に電気的に接続するように構成され、前記基材を折り曲げた際には、前記第一の領域の一面と前記第二の領域の一面との間、及び前記第一の領域の他面と前記第三の領域の一面との間には強接着部が、前記第二の領域の他面と前記第四の領域の一面との間には弱接着部が、それぞれ設けられ、前記第二の領域の他面と前記第四の領域の一面は、折り曲げて互いを重ね合わせる前に、隠蔽情報を記入可能とされていることを特徴とする通信用回路保持体を提供する。
【００１１】
かかる構成によれば、基材を折り曲げることで複数の領域を重ね合わせることにより、回路の両端部が電気的に接続され、重ね合わせ面に配されたインレットを簡便な構成で設けることができる。
また、導電性部材を塗布する面が一方の面のみであり、回路、第一導電部、第二導電部、配線部、短絡部の形成を、１度の工程処理で行うことができる。
また、ＩＣチップが第一の穴部と第二の穴部を通して露出することにより、接着の際にＩＣチップの高さ方向から加わる圧力からＩＣチップを保護することができる。
また、強接着部及び弱接着部の接着時の、各々の押圧力を設定することにより、１種類の接着剤のみで剥離不可能な強接着部と剥離可能な弱接着部を形成することができ、弱接着部で接着される前記第二の領域の他面と前記第四の領域の一面には、剥離した際に使用者が各種情報を閲覧可能となるように隠蔽情報を設けることができる。
【００１２】
本発明は、前記弱接着部を介してなる前記第二の領域の他面と前記第四の領域の一面は互いに剥離することが可能であり、該剥離をした際に、前記第四の領域に配した短絡部が、前記第三の領域に配した第一導電部と第二導電部の他端からなる露出部から離され、前記第三の領域に配した回路が使用可能な状態になることを特徴とする請求項１に記載の通信用回路保持体を提供する。
【００１３】
かかる構成によれば、導電性部材を塗布する工程が１度の工程処理でありながら、回路の第一導電部及び第二導電部の他端を、露出させる構成とすることができる。これにより、剥離可能領域の開封とともに、インレットが使用可能となる。
また、弱接着部で接着される前記第四の領域の短絡部が設けられた領域と、前記第三の領域に配した第一導電部と第二導電部の他端からなる露出部が設けられた領域とが、押圧によって剥離可能に接着されることにより、第一導電部と第二導電部の電気的接続及び遮断を、簡便な構成で行うことができる。
【発明の効果】
【００１４】
本発明に係る通信用回路保持体によれば、基材を折り曲げることで複数の領域を重ね合わせることにより、回路の両端部が電気的に接続され、重ね合わせ面に配されたインレットを簡便な構成で設けることができる。
また、導電性部材を塗布する面が一方の面のみであり、回路、第一導電部、第二導電部、配線部、短絡部の形成を、１度の工程処理で行うことができる。
また、ＩＣチップが第一の穴部と第二の穴部を通して露出することにより、接着の際にＩＣチップの高さ方向から加わる圧力からＩＣチップを保護することができる。
また、強接着部及び弱接着部の接着時の、各々の押圧力を設定することにより、１種類の接着剤のみで剥離不可能な強接着部と剥離可能な弱接着部を形成することができ、弱接着部で接着される前記第二の領域の他面と前記第四の領域の一面には、剥離した際に使用者が各種情報を閲覧可能となるように隠蔽情報を設けることができる。
また、本発明の通信用回路保持体によれば、導電性部材を塗布する工程が１度の工程処理でありながら、回路の第一導電部及び第二導電部の他端を、露出させる構成とすることができる。これにより、剥離可能領域の開封とともに、インレットが使用可能となる。
また、弱接着部で接着される前記第四の領域の短絡部が設けられた領域と、前記第三の領域に配した第一導電部と第二導電部の他端からなる露出部が設けられた領域とが、押圧によって剥離可能に接着されることにより、第一導電部と第二導電部の電気的接続及び遮断を、簡便な構成で行うことができる。
【発明を実施するための最良の形態】
【００１５】
以下、本発明に係る通信用回路保持体の実施の形態について、図面を用いて説明する。
図１、図２、図３及び図４は、本実施形態の通信用回路保持体を示す図であり、この通信用回路保持体１は、順に連接する第一の領域２１、第二の領域２２、第三の領域２３及び第四の領域２４を有する基材２と、基材２の同じ一面２ａにおいて、第三の領域２３に配置されるスパイラル状のアンテナ（回路）３、アンテナ３にそれぞれ一端が接続され他端３３ａ、３４ａがそれぞれ伸びる第一導電部３３及び第二導電部３４、並びにアンテナ３と直列に接続されたＩＣチップ１０と、第一の領域２１に配置されるアンテナ３の内周端３１及び外周端３２とそれぞれを電気的に接続するための両端部４１、４２を備えた配線部４、並びに第一の穴部９ａと、第二の領域２２に配置される第二の穴部９ｂと、第四の領域２４に配置される短絡部５とを備えて概略構成されている。
この通信用回路保持体１は、基材２を折り曲げることにより、第一の領域２１と第二の領域２２の一面２ａ同士を第一の穴部９ａと第二の穴部９ｂとが一致するように重ね合わせ、次いでこの重ね合わせた状態にある第一領域２１の他面２ｂを第三の領域２３の一面２ａに重ね合わせた状態において、第三の領域２３に配した第一導電部３３と第二導電部３４の他端３３ａ、３４ａのみが露出するとともに、第三の領域２３に配したＩＣチップ１０が第一の穴部９ａと第二の穴部９ｂを通して露出しており、さらに、第一〜第三の領域２１、２２、２３が重なった状態にある第二の領域２２の他面２ｂに第四の領域２４の一面２ａを重ね合わせた状態において、第四の領域２４に配した短絡部５が、第一導電部３３と第二導電部３４の他端３３ａ、３４ａからなる露出部に電気的に接続するように構成され、基材２を折り曲げた際には、第一の領域２１の一面２ａと第二の領域２２の一面２ａとの間、及び第一の領域２１の他面２ｂと第三の領域２３の一面２ａとの間には強接着部２ｃが、第二の領域２２の他面２ｂと第四の領域２４の一面２ａとの間には弱接着部２ｄがそれぞれ設けられ、第二の領域２２の他面２ｂと第四の領域２４の一面２ａは、折り曲げて互いを重ね合わせる前に、隠蔽情報６を記入可能とされていることを特徴とする。
また、通信用回路保持体１は、弱接着部２ｄを介してなる第二の領域２２の他面２ｂと第四の領域２４の一面２ａは互いに剥離することが可能であり、剥離をした際に、第四の領域２４に配した短絡部５が、第三の領域２３に配した第一導電部３３と第二導電部３４の他端３３ａ、３４ａからなる露出部から離され、第三の領域２３に配したアンテナ３が使用可能な状態になることを特徴とする。
【００１６】
基材２は、折線２６を境界として第一の領域２１と第二の領域２２とが連接し、折線２７を境界として第二の領域２２と第三の領域２３とが連接し、折線２８を境界として第三の領域２３と第四の領域２４とが連接してなる。また、各領域２１、２２、２３、２４は、一面２ａ及び他面２ｂを有し、上述したアンテナ３、第一導電部３３及び第二導電部３４、ＩＣチップ１０、内周端３１及び外周端３２、配線部４及び短絡部５が、それぞれ基材２の同じ面である一面２ａに配されている。
【００１７】
第一の領域２１の一面２ａには、第三の領域２３に設けられたアンテナ３の内周端３１及び外周端３２とそれぞれを電気的に接続するための両端部４１、４２を備えた配線部４が設けられている。
配線部４は、第一の領域２１と第二の領域２２の一面２ａを、折線２６を境として重ね合わせ、領域２１の他面２ｂに第三の領域２３の一面２ａを重ね合わせた時に、第三の領域２３に設けられたアンテナ３の内周端３１と外周端３２を電気的に接続するように配設されている。
また、第一の領域２１には、基材２を貫通して第一の穴部９ａが設けられている。
【００１８】
第二の領域２２の一面２ａには、基材２を貫通して第二の穴部９ｂが設けられており、第一の領域２１と第二の領域２２とを、折線２６を境に重ね合わせた際に、第一の穴部９ａと第二の穴部９ｂとが重なり合う位置に配されている。
重なり合った第一の穴部９ａ及び第二の穴部９ｂの内部には、ＩＣチップ１０が収容されるように構成されているが、詳細については後述する。
【００１９】
第三の領域２３の一面２ａには、スパイラル状のアンテナ３が設けられており、該アンテナ３にそれぞれ一端が接続され他端３３ａ、３４ａがそれぞれ伸びる第一導電部３３及び第二導電部３４、並びにアンテナ３と直列に接続されたＩＣチップ１０と、アンテナ３の内周端３１及び外周端３２とが配設されている。
内周端３１と外周端３２とは、第一の領域２１と第二の領域２２の一面２ａを、折線２６を境として重ね合わせ、領域２１の他面２ｂに第三の領域２３の一面２ａを重ね合わせた時に、第一の領域２１に設けられた配線部４によって電気的に接続される。
また、この時、アンテナ３の内周端３１及び外周端３２は、重ね合わせられた第一の領域２１及び第二の領域２２によって隠蔽されるが、第一導電部３３及び第二導電部３４は第二領域２２（第一領域２１）と折線２８の間で露出するように構成されている。
【００２０】
第四の領域２４の一面２ａには、短絡部５が設けられている。
短絡部５は、第一の領域２１と第二の領域２２の一面２ａを、折線２６を境として重ね合わせ、領域２１の他面２ｂに第三の領域２３の一面２ａを重ね合わせ、第二の領域２２の他面２ｂに第四の領域２４の一面２ａを重ね合わせた時に、第三の領域２３の一面２ａに設けられ、重ね合わせられた第二領域２２（第一領域２１）と折線２８の間で露出して設けられた第一導電部３３及び第二導電部３４を電気的に接続するように配設されている。
【００２１】
図３に示す例においては、基板２の各領域を重ね合わせた通信用回路保持体１は、縦長板状に構成される。
【００２２】
基材２の材質としては、特に限定されず、例えば紙材、樹脂材等、絶縁性の高い材料を用いれば良く、適宜選択して採用すれば良い。
【００２３】
アンテナ３は、導電性ペーストからなる膜等の導電体である。
アンテナ３の材質である導電性ペーストとしては、例えば、銀粉末、金粉末、白金粉末、アルミニウム粉末、パラジウム、ロジウムなどの粉末、カーボン粉末（カーボンブラック、カーボンナノチューブなど）などの導電微粒子を樹脂組成物に配合したもの等を用いることができる。導電性ペーストをなす樹脂組成物としては、熱硬化型樹脂組成物、光硬化型樹脂組成物、浸透乾燥型樹脂組成物、溶剤揮発型樹脂組成物が挙げられるが、アンテナ３の材質は、適宜決定すれば良い。
また、アンテナ３の厚みは、特に限定されないが、アンテナ３に接続されるＩＣチップ１０等の寸法に応じて適宜決定すれば良い。
【００２４】
上述したような、導電微粒子を樹脂組成物に配合した導電性ペーストとしては、例えば、熱可塑性樹脂のみか、或いは熱可塑性樹脂と架橋性樹脂とを配合した樹脂組成物（特にポリエステルポリオールとイソシアネートによる架橋性樹脂など）に、導電微粒子が６０質量％以上配合され、ポリエステル樹脂が１０質量％以上配合されたもの、すなわち、溶剤揮発型かあるいは架橋／熱可塑併用型（ただし熱可塑型が５０質量％以上である）のもの等が好適に用いられる。
【００２５】
また、通信用回路保持体１において、高い耐折り曲げ性が要求される場合には、導電性ペーストに可撓性付与剤を配合することが好ましい。可撓性付与剤としては、例えば、ポリエステル系可撓性付与剤、アクリル系可撓性付与剤、ウレタン系可撓性付与剤、ポリ酢酸ビニル系可撓性付与剤、熱可塑性エラストマー系可撓性付与剤、天然ゴム系可撓性付与剤、合成ゴム系可撓性付与剤などが挙げられる。本発明の通信用回路保持体においては、これらの可撓性付与剤を単独か、或いは２種以上を組み合わせられて用いることができる。
【００２６】
導通部４、及び、配線部４は、アンテナ３と同一の材料で構成されている。
【００２７】
なお、本実施形態においては、回路としてアンテナ３を例示しているが、本発明の通信用回路保持体はこれに限定されない。本発明の通信用回路保持体にあっては、回路は通信機能を有さない電気回路であってもよい。また、アンテナ３として、コイルアンテナを例示しているが、本発明の通信用回路保持体はこれに限定されない。本発明の通信用回路保持体にあっては、電磁誘導、マイクロ波電波方式を採用しても良く、また、ポールアンテナ、折り曲げポールアンテナループアンテナ、ループアンテナ方式等を採用しても良い。本発明の通信用回路保持体のアンテナは、起電力が得られれば、アンテナの形状については、適宜選択して採用することができる。
【００２８】
図２に示すように、本実施形態の通信用回路保持体１では、第二の領域２２の他面２ｂ及び第四の領域２４の一面２ａに隠蔽情報６が設けられている。
隠蔽情報６は、連絡や宣伝、通達等の内容が、印刷や貼付等によって表示される情報であり、例えば、コンサート等の催事概要、宣伝商品の概要等が挙げられる。
なお、図示例では、隠蔽情報６を、第二の領域２２の他面２ｂ及び第四の領域２４の一面２ａにのみ設けているが、その他の領域や面に隠蔽情報６を設けた構成としても良い。
【００２９】
通信用回路保持体１は、第一の領域２１と第二の領域２２の一面２ａとが重ね合わせられ、後述する接着剤によって強接着部２ｃで剥離不可能に接着され、第一の領域２１の他面２ｂと第三の領域２３の一面２ａとが重ね合わせられ、接着剤によって強接着部２ｃで剥離不可能に接着される（図４参照）。図３に示すように、この時、第二の領域２２と折線２８との間で、第一導電部３３及び第二導電部３４の他端３３ａ、３４ａが露出している。そして、第二の領域２２の他面２ｂ及び第四の領域２４の一面２ａに隠蔽情報６を設け、第四の領域２４の一面２ａを、第二の領域２２の他面２ｂ及び第三の領域２３の露出部２５に、後述する接着剤によって、弱接着部２ｄで剥離可能に接着される（図４参照）。
図４に示すように、この時、第一導電部３３及び第二導電部３４の他端３３ａ、３４ａは、短絡部５によって電気的に接続される。
【００３０】
強接着部２ｃは、接着することによって接着面が剥離困難または剥離不可能な状態にされる感圧接着剤からなる。このような感圧接着剤としては、従来の感圧接着剤として慣用されているものが用いられ、この中でも、２２０ｇｆ／２５ｍｍ以上の剥離力を有するように接着剤を圧着させることが必要とされる。このような感圧接着剤としては、例えば、圧力が加わると接着性が現れる天然ゴム系接着剤やアクリル樹脂系等の合成ゴム系接着剤や酢酸ビニル系接着剤等の接着剤に、小麦澱粉やシリカ等の接着調整剤を充填させた感圧接着剤等が挙げられる。また、天然ゴムに、スチレンとメタクリル酸メチルとをグラフト共重合させて得られた天然ゴムラテックスが挙げられる。
弱接着部２ｄは、接着後において接着面を剥離することが可能な感圧接着剤からなる。このような感圧接着剤としては、従来の感圧接着剤として慣用されているものが用いられ、この中でも、２２０ｇｆ／２５ｍｍ以下の剥離力を有するように接着剤を圧着させることが必要とされる。このような感圧接着剤としては、例えば、圧力が加わると接着性が現れる天然ゴム系接着剤やアクリル樹脂系等の合成ゴム系接着剤や酢酸ビニル系接着剤等の接着剤に、小麦澱粉やシリカ等の接着調整剤を充填させた感圧接着剤等が挙げられる。また、天然ゴムに、スチレンとメタクリル酸メチルとをグラフト共重合させて得られた天然ゴムラテックスが挙げられる。
【００３１】
各領域を重ね合わせて強接着部２ｃで接着するためには、少なくとも重ね合わせられる何れかの領域に上記のような感圧接着剤を塗布しておけば良い。その後、一方の領域と他方の領域を重ね合わせ、２２０ｇｆ／２５ｍｍ超の剥離力を有するように接着剤を圧着させると良い。また、重ね合わされる面の両方に上記のような感圧接着剤を塗布しておいても良い。すなわち両方の領域に上記のような感圧接着剤を塗布しておいても良い。
また、各領域を重ね合わせて弱接着部２ｄで接着するためには、少なくとも重ね合わせられる何れかの領域に上記のような感圧接着剤を塗布しておけば良い。その後、一方の領域と他方の領域を重ね合わせ、２２０ｇｆ／２５ｍｍ以下の剥離力を有するように接着剤を圧着させると良い。また、重ね合わされる面の両方に上記のような感圧接着剤を塗布しておいても良い。すなわち両方の領域に上記のような感圧接着剤を塗布しておいても良い。
基材２に強接着部２ｃ及び弱接着部２ｄを設けるためには、基材２に感圧接着剤を塗付して複数の領域を重ね合わせる。そして、剥離不可能強接着部８を２２０ｇｆ／２５ｍｍ超の剥離力を有するように接着し、その後、剥離可能接着部７を２２０ｇｆ／２５ｍｍ以下の剥離力を有するように接着すると良い。
【００３２】
なお、本実施形態の通信用回路保持体１では、各領域を、各折線を境にして順に折り合わせる形態としているが、これには限定されない。
例えば、各領域をＺ字状に折り曲げて重ね合わせる等、他の重ね合わせ形態であっても良く、領域の重ね合わせの形態や貼着面については、適宜決定すれば良い。
【００３３】
また、本実施形態の通信用回路保持体１では、基材２に４つの領域２１、２２、２３、２４を設けているが、これには限定されず、領域の数や重ね合わせの形態については、適宜決定して採用すれば良い。
【００３４】
また、図１に示す例においては、各領域２１、２２、２３、２４がそれぞれの長辺で連続してなる矩形状の基材２を例に説明しているが、本発明の通信用回路保持体はこれに限定されない。
例えば、基材が各領域の短辺で連続してなる矩形状や、基材が各領域の短辺または長辺で連続してなるＬ字状等であっても良く、適宜決定すれば良い。
【００３５】
以上、説明したように、本実施形態の通信用回路保持体１によれば、基材を折り曲げることで複数の領域を重ね合わせることにより、回路の両端部が電気的に接続され、重ね合わせ面に配されたインレットを簡便な構成で設けることができる。
また、導電性部材を塗布する面が一方の面のみであり、回路、第一導電部、第二導電部、配線部、短絡部の形成を、１度の工程処理で行うことができる。
また、ＩＣチップが第一の穴部と第二の穴部を通して露出することにより、接着の際にＩＣチップの高さ方向から加わる圧力からＩＣチップを保護することができる。
また、強接着部及び弱接着部の接着時の、各々の押圧力を設定することにより、１種類の接着剤のみで剥離不可能な強接着部と剥離可能な弱接着部を形成することができ、弱接着部で接着される前記第二の領域の他面と前記第四の領域の一面には、剥離した際に使用者が各種情報を閲覧可能となるように隠蔽情報を設けることができる。
また、本発明の通信用回路保持体によれば、導電性部材を塗布する工程が１度の工程処理でありながら、回路の第一導電部及び第二導電部の他端を、露出させる構成とすることができる。これにより、剥離可能領域の開封とともに、インレットが使用可能となる。
また、弱接着部で接着される前記第四の領域の短絡部が設けられた領域と、前記第三の領域に配した第一導電部と第二導電部の他端からなる露出部が設けられた領域とが、押圧によって剥離可能に接着されることにより、第一導電部と第二導電部の電気的接続及び遮断を、簡便な構成で行うことができる。
【００３６】
以下に、本発明に係る通信用保持体の製造方法の一例を、図５を参照しながら説明する。
以下の説明においては、図１〜図４に示す通信用保持体１を製造する場合の方法について、同じ図面と符号を用いて説明し、その詳細を省略する。
【００３７】
まず、図示略の基材の原反から基材を引き出し（図５のＡ）、基材２を形成して各種穴加工を行い）、ここでは、第一の穴部９ａ、第二の穴部９ｂ、貫通孔４ａを設ける（図５のｂ）。
なお、基材の原反の一方の面（本実施形態では基材２の一面２ａ側の面）には、予め感圧接着剤が塗布された状態となっている。
【００３８】
次いで、導電性ペーストからなるアンテナ３（内周端３１、外周端３２、第一導電部３３及び第二導電部３４を含む）、配線部４、短絡部５を印刷するとともに、隠蔽情報６等の可視情報を印刷や貼着等によって設ける（図５のＣ）。なお、導電性ペーストの印刷と、隠蔽情報６の印字又は貼着は、別工程としても良い（図５のＤ）。
【００３９】
次いで、アンテナ３にＩＣチップを搭載し（図５のＥ）、第一の領域２１と第二の領域２２の一面２ａをＣ字形状に折り曲げるようにして重ね合わせ、さらに、第一の領域２１の他面２ｂに第三の領域の一面２ａを重ね合わせる（図５のＦ）。
【００４０】
次いで、重ね合わせた第一の領域２１、第二の領域２２及び第三の領域２３に所定の圧力を加え、重ね合わせ面を剥離不可能な強接着部２ｃとして接着する（図５のＧ）。この時、通信用回路保持体１は、図２に示すような片面に２領域を有する状態となる。
また、この時、アンテナ３の内周端３１、外周端３２及び配線部４に圧力が加わることにより、内周端３１、外周端３２、或いは配線部４をなす導電性ペースト等の導電性部材が、基材２を貫いて配線部４の位置に形成された貫通穴４ａに圧入される。これにより、内周端３１及び外周端３２と配線部４とが、貫通穴４ａ内に圧入された導電性部材によって、電気的に接続される。
【００４１】
次いで、ＩＣチップ１０にデータ書き込みを行う（図５のＨ）。
【００４２】
次いで、第二の領域２２の他面２ｂ及び第三の領域の露出部２５と、第四の領域２４の一面２ａとを重ね合わせ（図５のＩ）、所定の圧力を加えて剥離可能な弱接着部２ｄとして接着する（図５のＪ）。この時、通信用回路保持体１は、図３に示す出荷可能な状態となる（図５のＫ）。
【００４３】
通信用回路保持体１を、例えばはがき状のダイレクトメール等として受け取ったユーザは、剥離可能に接着された第二の領域２２の他面２ｂ及び第三の領域の露出部２５と、第四の領域２４の一面２ａとを剥離、開封する（図５のＬ）。
この時、ユーザは、第二の領域２２の他面２ｂ及び第四の領域２４の一面２ａに設けられた隠蔽情報６を閲覧することができる状態となる（図２参照）。
また、第四の領域２４に設けられた短絡部５によって電気的に接続されていたアンテナ３に接続された第一導電部３３及び第二導電部３４の他端３３ａ、３４ａの間が開放され、通信用回路保持体１内に形成されたインレットが通信可能な状態となる（図５のＭ）。これにより、ユーザは、通信用回路保持体１を、インレットとして、各種目的に応じて使用することができる。
【００４４】
上述した通信用回路保持体の製造方法によれば、複雑な機構の製造装置を用いること無く、容易、且つ、低コストで通信用回路保持体を製造することができる。
【産業上の利用可能性】
【００４５】
本発明の通信用回路保持体は、主として各種パンフレットやダイレクトメール等のはがき、封書等として使用され、通信用回路保持体内にインレットを構成しているため、そのまま非接触型ＩＣカードとして使用することができ、また、前記インレットの格納情報と関連した隠蔽情報を閲覧することができるものである。
【図面の簡単な説明】
【００４６】
【図１】本発明の通信用回路保持体の一例を説明する概略図である。
【図２】本発明の通信用回路保持体の一例を説明する概略図である。
【図３】本発明の通信用回路保持体の一例を説明する概略図である。
【図４】本発明の通信用回路保持体の一例を説明する図であり、図３のＩＶ−ＩＶ断面図である。
【図５】本発明の通信用回路の製造方法の一例を説明するフローチャートである。
【符号の説明】
【００４７】
１…通信用回路保持体、２…基材、２ａ…一面、２ｂ…他面、２ｃ…強接着部、２ｄ…弱接着部、２１…第一の領域、２２…第二の領域、２３…第三の領域、２４…第四の領域、３…アンテナ（回路）、３１…内周端、３２…外周端、３３…第一導電部、３４…第二導電部、３３ａ、３４ａ…他端、４…配線部、４１、４２…両端部、５…短絡部、６…隠蔽情報、９ａ…第一の穴部、９ｂ…第二の穴部、１０…ＩＣチップ
【図１】
2006239875.tif 000003
【図２】
2006239875.tif 000004
【図３】
2006239875.tif 000005
【図４】
2006239875.tif 000006
【図５】
2006239875.tif 000007